【手続補正書】
【提出日】平成23年3月18日(2011.3.18)
【手続補正１】
【補正対象書類名】特許請求の範囲
【補正対象項目名】請求項３
【補正方法】変更
【補正の内容】
【請求項３】
遊技球を用いて所定の遊技を行うことが可能であり、遊技領域に設けられた所定の入賞領域に遊技球が入賞したことにもとづいて遊技球を払い出し、遊技領域に設けられた第１の始動領域に遊技球が入賞したことにもとづいて各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
前記第１の始動領域に遊技球が入賞しない閉状態と前記第１の始動領域に遊技球が入賞可能な開状態とに変化可能であり、前記遊技領域に設けられた第２の始動領域に遊技球が通過したことにもとづいて当該開状態となる可変入賞装置と、
前記第１の始動領域に入賞した遊技球を検出して入賞検出信号を出力する入賞検出手段と、
遊技の進行を制御する遊技制御手段と、
前記遊技制御手段が送信するコマンドにもとづいて、前記可変表示装置を含む演出装置の制御を行う演出制御手段と、
遊技に使用する遊技球を貯留可能な遊技球タンクと、
前記遊技球タンクから供給される遊技球が通過可能な球通路と、
該球通路の遊技球の有無を検出する遊技球検出手段と、
前記球通路内の遊技球を払い出す払出手段と、
前記所定の入賞領域への遊技球の入賞にもとづいて前記払出手段を制御して遊技球の払出処理を実行し、前記遊技球検出手段が遊技球が無いことを検出しているときに遊技球の払出処理を停止させる払出制御手段と、
前記遊技球検出手段が遊技球が無いことを検出しているときに、操作者の操作に応じて前記遊技球検出手段を強制的に遊技球が有ることを検出している状態に変化させる強制スイッチとを備え、
前記遊技制御手段は、
前記可変表示装置における識別情報の可変表示の開始と可変表示時間とを特定可能な可変表示コマンドを送信する可変表示コマンド送信手段と、
前記可変入賞装置の開閉状態を判定する開閉判定手段と、
該開閉判定手段によって前記可変入賞装置が閉状態であると判定されているときに、前記入賞検出手段によって遊技球の入賞が検出されたことにもとづいて、異常報知の実行を指示するための異常報知コマンドを送信する異常報知コマンド送信手段とを含み、
前記演出制御手段は、
前記可変表示コマンド送信手段が送信した可変表示コマンドにもとづいて前記可変表示装置において識別情報の可変表示を開始し、前記可変表示時間が経過したときに可変表示装置に表示結果を導出表示する可変表示制御手段と、
前記異常報知コマンド送信手段が送信した異常報知コマンドにもとづいて、前記演出装置により異常報知を実行する異常報知手段とを含み、
該異常報知手段は、前記可変表示制御手段が前記可変表示装置において識別情報の可変表示を実行しているときにも前記異常報知を実行可能である
ことを特徴とする遊技機。
【手続補正２】
【補正対象書類名】特許請求の範囲
【補正対象項目名】請求項４
【補正方法】変更
【補正の内容】
【請求項４】
遊技球を用いて所定の遊技を行うことが可能であり、遊技領域に設けられた所定の入賞領域に遊技球が入賞したことにもとづいて遊技球を払い出し、各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
前記特定遊技状態において開放状態に変化可能な可変入賞球装置と、
前記可変入賞球装置に入賞した遊技球を検出して入賞検出信号を出力する入賞検出手段と、
遊技の進行を制御する遊技制御手段と、
前記遊技制御手段が送信するコマンドにもとづいて、前記可変表示装置を含む演出装置の制御を行う演出制御手段と、
遊技に使用する遊技球を貯留可能な遊技球タンクと、
前記遊技球タンクから供給される遊技球が通過可能な球通路と、
該球通路の遊技球の有無を検出する遊技球検出手段と、
前記球通路内の遊技球を払い出す払出手段と、
前記所定の入賞領域への遊技球の入賞にもとづいて前記払出手段を制御して遊技球の払出処理を実行し、前記遊技球検出手段が遊技球が無いことを検出しているときに遊技球の払出処理を停止させる払出制御手段と、
前記遊技球検出手段が遊技球が無いことを検出しているときに、操作者の操作に応じて前記遊技球検出手段を強制的に遊技球が有ることを検出している状態に変化させる強制スイッチとを備え、
前記遊技制御手段は、
前記特定遊技状態に移行させるか否かを表示結果の導出表示以前に決定する事前決定手段と、
前記事前決定手段の決定にもとづいて、前記可変表示装置における識別情報の可変表示の開始と可変表示時間とを特定可能な可変表示コマンドを送信する可変表示コマンド送信手段と、
前記入賞検出手段からの前記入賞検出信号を入力したか否かを判定する入賞判定手段と、
前記特定遊技状態以外の遊技状態において前記入賞判定手段が前記入賞検出信号を入力したことにもとづいて、異常報知の実行を指示するための異常報知コマンドを送信する異常報知コマンド送信手段とを含み、
前記演出制御手段は、
前記可変表示コマンド送信手段が送信した可変表示コマンドにもとづいて前記可変表示装置において識別情報の可変表示を開始し、前記可変表示時間が経過したときに可変表示装置に表示結果を導出表示する可変表示制御手段と、
前記異常報知コマンド送信手段が送信した異常報知コマンドにもとづいて、異常入賞が発生したことを示す異常報知を実行する異常報知手段とを含む
ことを特徴とする遊技機。
【手続補正３】
【補正対象書類名】明細書
【補正対象項目名】００２１
【補正方法】変更
【補正の内容】
【００２１】
本発明による遊技機では、遊技球を用いて所定の遊技を行うことが可能であり、遊技領域に設けられた所定の入賞領域に遊技球が入賞（例えば、入賞口１３，１４，２３，２９，３０，３３，３９への遊技球の入賞）したことにもとづいて遊技球を払い出し、遊技領域に設けられた第１の始動領域（例えば第２始動入賞口１４）に遊技球が入賞したことにもとづいて各々を識別可能な複数種類の識別情報（例えば、特別図柄や飾り図柄）の可変表示を行い表示結果を導出表示する可変表示装置（例えば、特別図柄表示器８や可変表示装置９）を備え、該可変表示装置に特定表示結果（例えば、大当り図柄）が導出表示されたときに遊技者にとって有利な特定遊技状態（例えば、大当り遊技状態）に移行させる遊技機（例えば、パチンコ遊技機１）であって、第１の始動領域に遊技球が入賞しない閉状態（例えば閉鎖状態）と第１の始動領域に遊技球が入賞可能な開状態（例えば開放状態）とに変化可能であり、遊技領域に設けられた第２の始動領域（例えば、ゲート３２）に遊技球が通過したことにもとづいて当該開状態となる可変入賞装置（例えば、可変入賞球装置１５、普通電動役物）と、第１の始動領域に入賞した遊技球を検出して入賞検出信号を出力する入賞検出手段（例えば、第２始動口スイッチ１４ａ）と、遊技の進行を制御する遊技制御手段（例えば、遊技制御用マイクロコンピュータ５６０）と、遊技制御手段が送信するコマンド（例えば、演出制御コマンド）にもとづいて、可変表示装置を含む演出装置（例えば、可変表示装置９、スピーカ、ランプ／ＬＥＤ等）の制御を行う演出制御手段（例えば、演出制御用マイクロコンピュータ１００）と、遊技に使用する遊技球を貯留可能な遊技球タンク（例えば、貯留タンク３８）と、遊技球タンクから供給される遊技球が通過可能な球通路（例えば、カーブ樋７００）と、該球通路の遊技球の有無を検出する遊技球検出手段（例えば、球切れスイッチ１９７）と、球通路内の遊技球を払い出す払出手段（例えば、球払出装置９７）と、所定の入賞領域への遊技球の入賞にもとづいて払出手段を制御して遊技球の払出処理を実行し、遊技球検出手段が遊技球が無いことを検出しているときに遊技球の払出処理を停止させる払出制御手段（例えば、ステップＳ７５６の賞球球貸し制御処理を実行する払出制御用マイクロコンピュータ３７０）と、遊技球検出手段が遊技球が無いことを検出しているときに、操作者の操作に応じて遊技球検出手段を強制的に遊技球が有ることを検出している状態に変化させる強制スイッチ（例えば、強制スイッチ４００）とを備え、遊技制御手段は、可変表示装置における識別情報の可変表示の開始と可変表示時間とを特定可能な可変表示コマンド（例えば、変動パターンコマンド）を送信する可変表示コマンド送信手段（例えば、遊技制御用マイクロコンピュータ５６０における飾り図柄コマンド制御処理（ステップＳ２９）のうち変動パターンコマンドを送信する制御を実行する部分）と、可変入賞装置の開閉状態を判定する開閉判定手段（例えば、遊技制御用マイクロコンピュータ５６０におけるステップＳ２６１を実行する部分）と、該開閉判定手段によって可変入賞装置が閉状態であると判定されているときに（例えばステップＳ２６１のＮ）、入賞検出手段によって遊技球の入賞が検出されたことにもとづいて（例えばステップＳ２６４のＮ）、異常報知の実行を指示するための異常報知コマンド（例えば、異常入賞報知指定コマンド）を送信する異常報知コマンド送信手段（例えば、遊技制御用マイクロコンピュータ５６０におけるステップＳ２６５，Ｓ２６６を実行する部分）とを含み、演出制御手段は、可変表示コマンド送信手段が送信した可変表示コマンドにもとづいて可変表示装置において識別情報の可変表示を開始し、可変表示時間が経過したときに可変表示装置に表示結果を導出表示する可変表示制御手段（例えば、演出制御用マイクロコンピュータ１００におけるステップＳ８００〜Ｓ８０３を実行する部分）と、異常報知コマンド送信手段が送信した異常報知コマンドにもとづいて、演出装置により異常報知を実行する異常報知手段（例えば、演出制御用マイクロコンピュータ１００におけるステップＳ７０７を実行する部分）とを含み、該異常報知手段は、可変表示制御手段が可変表示装置において識別情報の可変表示を実行しているときにも異常報知を実行可能である（例えば、演出制御用マイクロコンピュータ１００において、ステップＳ１９４３〜Ｓ１９４８、Ｓ１９７７〜Ｓ１９８２、Ｓ８４５Ａ，Ｓ８４５Ｄの処理を実行可能である）ことを特徴とする。
【手続補正４】
【補正対象書類名】明細書
【補正対象項目名】００２２
【補正方法】変更
【補正の内容】
【００２２】
本発明による遊技機では、遊技球を用いて所定の遊技を行うことが可能であり、遊技領域に設けられた所定の入賞領域に遊技球が入賞（例えば、入賞口１３，１４，２３，２９，３０，３３，３９への遊技球の入賞）したことにもとづいて遊技球を払い出し、各々を識別可能な複数種類の識別情報（例えば、特別図柄、飾り図柄）の可変表示を行い表示結果を導出表示する可変表示装置（例えば、特別図柄表示器８、可変表示装置９）を備え、該可変表示装置に特定表示結果（例えば、大当り図柄）が導出表示されたときに遊技者にとって有利な特定遊技状態（例えば、大当り遊技状態）に移行させる遊技機（例えば、パチンコ遊技機１）であって、特定遊技状態において開放状態に変化可能な可変入賞球装置（例えば、特別可変入賞球装置２０）と、可変入賞球装置に入賞した遊技球を検出して入賞検出信号を出力する入賞検出手段（例えば、カウントスイッチ２３）と、遊技の進行を制御する遊技制御手段（例えば、遊技制御用マイクロコンピュータ５６０）と、遊技制御手段が送信するコマンド（例えば、演出制御コマンド）にもとづいて、可変表示装置を含む演出装置の制御を行う演出制御手段（例えば、演出制御用マイクロコンピュータ１００）と、遊技に使用する遊技球を貯留可能な遊技球タンク（例えば、貯留タンク３８）と、遊技球タンクから供給される遊技球が通過可能な球通路（例えば、カーブ樋７００）と、該球通路の遊技球の有無を検出する遊技球検出手段（例えば、球切れスイッチ１９７）と、球通路内の遊技球を払い出す払出手段（例えば、球払出装置９７）と、所定の入賞領域への遊技球の入賞にもとづいて払出手段を制御して遊技球の払出処理を実行し、遊技球検出手段が遊技球が無いことを検出しているときに遊技球の払出処理を停止させる払出制御手段（例えば、ステップＳ７５６の賞球球貸し制御処理を実行する払出制御用マイクロコンピュータ３７０）と、遊技球検出手段が遊技球が無いことを検出しているときに、操作者の操作に応じて遊技球検出手段を強制的に遊技球が有ることを検出している状態に変化させる強制スイッチ（例えば、強制スイッチ４００）とを備え、遊技制御手段は、特定遊技状態に移行させるか否かを表示結果の導出表示以前に決定する事前決定手段（例えば、遊技制御用マイクロコンピュータ５６０におけるテップＳ５７，Ｓ５８の処理を実行する部分）と、事前決定手段の決定にもとづいて、可変表示装置における識別情報の可変表示の開始と可変表示時間とを特定可能な可変表示コマンド（例えば、変動パターンコマンド）を送信する可変表示コマンド送信手段（例えば、遊技制御用マイクロコンピュータ５６０における飾り図柄コマンド制御処理（ステップＳ２９）のうち変動パターンコマンドを送信する制御を実行する部分）と、入賞検出手段からの入賞検出信号を入力したか否かを判定する入賞判定手段（例えば、遊技制御用マイクロコンピュータ５６０において、ステップＳ３３１〜Ｓ３３８、Ｓ３５１〜Ｓ３６１の処理を実行する部分；特に、カウントスイッチ入力ビット判定値を用いてステップＳ３５５，Ｓ３６１の処理を実行する部分）と、特定遊技状態以外の遊技状態において入賞判定手段が入賞検出信号を入力したことにもとづいて（例えばステップＳ２５５のＮ、ステップＳ２５８のＮ）、異常報知の実行を指示するための異常報知コマンド（例えば異常入賞報知指定コマンド）を送信する異常報知コマンド送信手段（例えば、遊技制御用マイクロコンピュータ５６０におけるステップＳ２５９，Ｓ２６０を実行する部分）とを含み、演出制御手段は、可変表示コマンド送信手段が送信した可変表示コマンドにもとづいて可変表示装置において識別情報の可変表示を開始し、可変表示時間が経過したときに可変表示装置に表示結果を導出表示する可変表示制御手段（例えば、演出制御用マイクロコンピュータ１００におけるステップＳ８００〜Ｓ８０３を実行する部分）と、異常報知コマンド送信手段が送信した異常報知コマンドにもとづいて、異常入賞が発生したことを示す異常報知を実行する異常報知手段（例えば、演出制御用マイクロコンピュータ１００において、ステップＳ１９４３〜Ｓ１９４８、Ｓ１９７７〜Ｓ１９８２、Ｓ８４５Ａ，Ｓ８４５Ｄの処理を実行する部分）とを含むことを特徴とする。
【手続補正５】
【補正対象書類名】明細書
【補正対象項目名】００２８
【補正方法】変更
【補正の内容】
【００２８】
請求項３記載の発明では、遊技制御手段が、可変入賞装置の開閉状態を判定する開閉判定手段と、開閉判定手段によって可変入賞装置が閉状態であると判定されているときに、入賞検出手段によって遊技球の入賞が検出されたことにもとづいて、異常報知の実行を指示するための異常報知コマンドを送信する異常報知コマンド送信手段とを含み、演出制御手段が、異常報知コマンド送信手段が送信した異常報知コマンドにもとづいて、演出装置により異常報知を実行する異常報知手段を含み、異常報知手段が、可変表示制御手段が可変表示装置において識別情報の可変表示を実行しているときにも異常報知を実行可能であるので、可変入賞装置に対する不正行為によって入賞異常が生じたことを報知することができ、その結果、可変入賞装置に対する不正行為を確実に防止することができる。また、入賞異常の報知がなされているときも遊技を継続することが可能であるので、誤動作で報知がなされた場合でも遊技者が不利益を被ることはない。
【手続補正６】
【補正対象書類名】明細書
【補正対象項目名】００２９
【補正方法】変更
【補正の内容】
【００２９】
請求項４記載の発明では、遊技制御手段が、特定遊技状態以外の遊技状態において入賞判定手段が入賞検出信号を入力したことにもとづいて、異常報知の実行を指示するための異常報知コマンドを送信する異常報知コマンド送信手段を含み、演出制御手段が、異常報知コマンド送信手段が送信した異常報知コマンドにもとづいて、異常入賞が発生したことを示す異常報知を実行する異常報知手段を含むので、異常入賞が生じたことを報知することができるとともに、遊技を継続することが可能であって遊技者が不利益を被らないようにすることができる。